(57)【要約】【課題】インクリボンに対するインクの補充量を変化させることができるインクリボンカセットを提供する。【解決手段】インクリボンカセット４０は、ケース内に収納しているインクリボン４０ａが、引出口から引き出され、戻し口からケース内に戻される。インクタンク５０は、ケース内に設けており、インクリボン４０ａに補充するインクを貯留する。インクタンク５０内に、その一部を外部に露出させたフェルト５１を設けている。また、転写ローラ５２と、補助ローラ５３とがインクリボンを挟持する。さらに、インクタンク５０は、フェルト５１と、転写ローラ５２との接触面積が変化する方向に移動自在に取り付けている。【選択図】図５
2013154565.tif 000002
【特許請求の範囲】
【請求項１】
ケース内に収納しているインクリボンが、引出口から引き出され、戻し口から前記ケース内に戻されるインクリボンカセットにおいて、
前記ケース内に設けたインクを貯留するインクタンクと、
前記インクタンク内に設け、その一部を外部に露出させたフェルトと、
周面が前記フェルトに当接する第１のローラと、
前記インクリボンを、前記第１のローラとともに挟持する第２のローラと、を備え、
前記インクタンクは、前記フェルトと、前記第１のローラとの接触面積が変化する方向に移動自在に取り付けている、インクリボンカセット。
【請求項２】
前記インクタンクは、前記引出口側に設けている、請求項１に記載のインクリボンカセット。
【請求項３】
請求項１、または２に記載のインクリボンカセットを装着する印字ユニットであって、
装着した前記インクリボンカセットの前記インクリボンを前記戻し口側に巻き取る巻取り部と、
前記引出口と前記戻し口との間に位置する前記インクリボンを介して、文字や記号を媒体に印字する印字ヘッドを制御する印字部と、
前記インクタンクを移動して前記フェルトと、前記第１のローラとの接触面積を変化させるインクタンク駆動部と、を備えた印字ユニット。
【請求項４】
前記媒体における文字や記号の印字濃度を検出して出力する印字濃度検出部を備えた、請求項３に記載の印字ユニット。
【請求項５】
前記印字濃度検出部が検出した印字濃度に応じて、前記インクタンク駆動部による前記インクタンクの移動量を制御するインクタンク駆動制御部と、を備えた請求項４に記載の印字ユニット。
【請求項６】
請求項３〜５のいずれかに記載の印字ユニットを備えるとともに、
通帳挿入口に挿入された通帳を前記印字ヘッドによる印字位置に搬送する通帳搬送部を備えた通帳処理装置。
【発明の詳細な説明】
【技術分野】
【０００１】
この発明は、インクリボンに補充するインクを貯留するインクタンクを備えるインクリボンカセット、このインクリボンカセットを装着して、文字や記号等を用紙や通帳等の媒体に印字する印字ユニット、および通帳処理装置に関する。
【背景技術】
【０００２】
従来、インクリボンカセットを用いて用紙や通帳等の媒体に文字や記号を印字する印字装置がある。この種の印字装置は、本体に装着されたインクリボンカセットに収納されているインクリボンを引出口からケース外に引き出し、戻し口からケース内に戻す巻き取りを行う。印字ヘッドが、ケース外に引き出しいているインクリボンを介して媒体に文字や記号を印字する。インクリボンを挟んで、印字ヘッドと媒体とが対向する。
【０００３】
また、ケース内にインクを貯留するインクタンクを設け、インクリボンにインクを供給するインクリボンカセットがある（特許文献１、２等参照）。
【０００４】
特許文献１は、インクリボンがケース外（引出口と、戻し口との間）に位置している時間が長くなると、その部分のインクが乾燥して、適正な印字濃度が得られなくなる（印字濃度が薄くなる。）ので、予め定めた一定時間経過すると、インクリボンの巻き取りを行う構成である。
【０００５】
また、特許文献２は、インクリボンへのインクの供給、または供給遮断の切り替えが行える構成を備え、印字濃度が濃いときに、インクリボンへのインクの供給（補充）を遮断するものである。
【先行技術文献】
【特許文献】
【０００６】
【特許文献１】特開２００５−３２９５４１号公報
【特許文献２】特開２００２−１２０４４７号公報
【発明の概要】
【発明が解決しようとする課題】
【０００７】
しかしながら、特許文献１は、インクの乾燥によって印字濃度が薄くなるのを抑えているだけで、インクリボンへのインクの補充量の不足により、印字濃度が薄くなるのを防止できない。
【０００８】
また、特許文献２は、インクリボンへのインクの補充量の過多により、印字濃度が濃くなるのを抑えられるだけで、インクリボンへのインクの補充量の不足により、印字濃度が薄くなるのを防止できない。
【０００９】
このように、特許文献１、２は、印字濃度に応じて、インクリボンに補充するインクの量を調整することができなかった。
【００１０】
この発明の目的は、インクリボンに対するインクの補充量を変化させることができるインクリボンカセットを提供することにある。
【００１１】
また、この発明は、上記インクリボンカセットを装着し、用紙や通帳等の媒体における印字濃度に応じてインクリボンへのインクの補充量を調整する印字ユニット、および通帳処理装置を提供することにある。
【課題を解決するための手段】
【００１２】
この発明のインクリボンカセットは、以下の構成を備えている。
【００１３】
このインクリボンカセットは、ケース内に収納しているインクリボンが、引出口から引き出され、戻し口からケース内に戻される。すなわち、インクリボンは、引出口と、戻し口との間で外部に露出する。
【００１４】
インクタンクは、ケース内に設けており、インクリボンに補充するインクを貯留する。このインクタンク内に、その一部を外部に露出させたフェルトを設けている。
【００１５】
また、第１のローラと、第２のローラとがインクリボンを挟持し、この第１のローラの周面がフェルトに当接する。したがって、第１のローラは、フェルトとの当接面において、インクが転写され、第２のローラとのインクリボンの挟持位置において、フェルトから転写されたインクをインクリボンに補充する。
【００１６】
さらに、インクタンクは、フェルトと、第１のローラとの接触面積が変化する方向に移動自在に取り付けている。フェルトと、第１のローラとの接触面積を大きくなると、フェルトから第１のローラに転写されるインクの量が大きくなり、その結果、第１のローラからインクリボンに補充されるインクの量が大きくなる。すなわち、インクタンクを移動することにより、インクリボンに補充するインクの量を調整することができる。
【００１７】
戻し口からケース内に戻すインクリボンに対するインクの補充量を調整するよりも、引出口から引き出すインクリボンに対するインクの補充量を調整するほうが好ましい。このため、インクタンクは、引出口側に設けるのが好ましい。
【００１８】
また、この発明の印字ユニットは、上記インクリボンカセットを装着する。
【００１９】
巻取り部が、装着したインクリボンカセットのインクリボンを戻し口側に巻き取る。印字部が、引出口と戻し口との間に位置するインクリボンを介して、文字や記号を媒体に印字する印字ヘッドを制御する。インクタンク駆動部が、インクタンクを移動してフェルトと、第１のローラとの接触面積を変化させる。
【００２０】
また、印字濃度検出部を設け、媒体における文字や記号の印字濃度を検出して出力する構成としてもよいし、さらには、この印字濃度検出部が検出した印字濃度に応じて、インクタンク駆動部によるインクタンクの移動量を制御するインクタンク駆動制御部を備えてもよい。
【発明の効果】
【００２１】
この発明によれば、インクリボンに対するインクの補充量を変化させることができる。したがって、印字濃度に応じて、インクリボンに補充するインクの量を調整することができる。
【図面の簡単な説明】
【００２２】
【図１】通帳処理装置の主要部の構成を示す図である
【図２】通帳処理装置の内部構成を示す概略図である。
【図３】印字ユニットの主要部の構成を示すブロック図である。
【図４】通帳処理装置の上面側から見た印字ユニットの概略の透視図である。
【図５】インクリボンカセットの内部構成を示す図である。
【図６】インクリボンに補充するインクの量を調整する機構部を説明する図である。
【図７】インクリボンに補充するインクの量を調整する機構部を説明する図である。
【図８】印字濃度調整テーブルを示す図である。
【図９】通帳処理装置の動作を示すフローチャートである。
【発明を実施するための形態】
【００２３】
以下、この発明の実施形態について説明する。
【００２４】
図１は、この発明の実施形態である通帳処理装置の主要部の構成を示す図である。図２は、この通帳処理装置の内部構成を示す概略図である。
【００２５】
この通帳処理装置１は、制御ユニット２と、搬送ユニット３と、印字ユニット４と、ページ捲りユニット５と、磁気処理ユニット６と、通信ユニット７と、を備えている。
【００２６】
通帳処理装置１は、銀行等の金融機関が開設された口座に対して発行した通帳を受け付け、この通帳に対応する口座に対して行われた取引の内容を記帳（印字）する。
【００２７】
制御ユニット２は、通帳処理装置１本体各部の動作を制御する。
【００２８】
搬送ユニット３は、通帳挿入口３１に挿入された通帳を、搬送路３２に沿って搬送する。通帳は、ページを開いた状態で、図２における左右方向に搬送される。搬送ユニット３は、通帳を後述する印字位置や、ページ捲り位置に搬送する。
【００２９】
搬送ユニット３は、一対の搬送ローラ３３（３３ａ、３３ｂ）で通帳を挟持して搬送する。一対の搬送ローラ３３は、一方が駆動源により回転駆動される駆動ローラ３３ａであり、他方が駆動ローラ３３ａの回転にともなって回転する従動ローラ３３ｂである。一対の搬送ローラ３３は、搬送路３２に沿って複数並べている。図２では、搬送ローラ３３を５つ並べた例を示している。隣接する搬送ローラ３３の間隔は、開いた状態で搬送する通帳の搬送方向の長さよりも短い。したがって、搬送路３２に沿って搬送されている通帳は、少なくともいずれか１つの搬送ローラ３３に挟持される。
【００３０】
また、搬送路３２は、搬送している通帳のスキューやジャムを防止し、安定した搬送を行うために、ガイド（不図示）を有している。このガイドは、搬送路３２を搬送されている通帳の下面を受けるガイド板、上面を覆うガイド板、左右端の位置を規制するガイド板によって構成される。これらのガイド板は、搬送路３２全体にわたって設けているのではなく、搬送ローラ３３の周辺等、通帳の搬送が不安定になりやすい箇所に設けている。
【００３１】
印字ユニット４は、取引内容を通帳に印字する。搬送ユニット３が、通帳を印字ユニット４の印字位置に搬送する。この印字ユニット４の詳細については後述する。
【００３２】
ページ捲りユニット５は、ページ捲りローラ（不図示）を備えている。搬送ユニット３が、必要に応じて、通帳をページ捲り位置に搬送する。ページ捲り位置に搬送された通帳は、ページ捲りローラが開かれているページの表面に当接する。ページ捲りユニット５は、ページ捲りローラを回転することにより、このページ捲りローラが当接している通帳のページを捲る。
【００３３】
磁気処理ユニット６は、通帳挿入口３１に挿入された通帳の背表紙に貼付されている磁気シートに記録されている口座番号等にかかる磁気データの読み出しや、通帳挿入口３１への排出時に読み出した口座番号等にかかる磁気データの書き込みを行う磁気ヘッド（不図示）を有する。磁気ヘッドは、搬送ユニット３が搬送している通帳の背表紙に貼付されている磁気シートに当接する位置に配置している。
【００３４】
通信ユニット７は、上位装置との間における通信を制御し、通帳挿入口３１に挿入された通帳に対して印字ユニット４で印字する取引の取引内容を取得する。具体的には、通帳に未印字の取引内容を上位装置から取得する。
【００３５】
ここで、印字ユニット４について説明する。図３は、印字ユニットの主要部の構成を示すブロック図である。図４は、通帳処理装置の上面側から見た印字ユニットの概略の透視図である。
【００３６】
印字ユニット４は、制御部４１と、印字部４２と、印字ヘッド走査部４３と、巻取り部４４と、印字濃度調整部４５と、光学検出部４６とを備えている。この印字ユニット４は、図４に示すように、インクリボンカセット４０を装着部に装着する。装着部に装着されたインクリボンカセット４０は、通帳処理装置１の幅方向の両側にインクリボン４０ａの引出口と、インクリボン４０ａの戻し口と、が位置する。インクリボンカセット４０から外部に引き出されているインクリボン４０ａが、この引出口と、戻し口との間に位置する。
【００３７】
制御部４１は、印字ユニット４本体各部の動作を制御する。制御部４１は、通帳処理装置１の制御ユニット２との間における入出力を制御するインタフェースを備えている。また、後述する印字濃度調整テーブルをメモリに記憶する。
【００３８】
印字部４２は、公知のドットインパクト式の印字ヘッド４２ａを有する。印字部４２は、印字する文字や記号に応じて印字ヘッド４２ａを制御する。印字ヘッド４２ａは、インクリボンカセット４０から外部に引き出されているインクリボン４０ａを挟んで、搬送路３２上に位置する通帳に対向する。
【００３９】
印字ヘッド走査部４３は、図示していないモータを駆動し、印字ヘッド４２ａを主走査方向（通帳処理装置１の幅方向）に移動する。印字ヘッド４２ａは、図４に示すようにキャリッジ４３ａに搭載している。また、このキャリッジ４３ａは、通帳処理装置１の幅方向に架け渡したシャフト４３ｂに、移動自在に取り付けている。印字ヘッド走査部４３は、キャリッジ４３ａをシャフト４３ｂに沿って移動することにより、印字ヘッド４２ａを主走査方向に移動する。
【００４０】
巻取り部４４は、装着部に装着されたインクリボンカセット４０に設けられている巻取りローラを図示していないモータで駆動し、インクリボンカセット４０から外部に引き出され、主走査方向に延びるインクリボン４０ａをインクリボンカセット４０内に巻き取る。インクリボンカセット４０内に巻き取ったインクリボン４０ａと同等の長さのインクリボン４０ａが引出口から引き出される。
【００４１】
印字濃度調整部４５は、インクリボン４０ａに補充するインクの量を調整する。インクリボンカセット４０が、インクリボン４０ａに補充するインクの量を調整する機構部を備える。印字濃度調整部４５は、この機構部の駆動制御により、インクリボン４０ａに補充するインクの量を調整する。インクリボンカセット４０の構成については後述する。
【００４２】
光学検出部４６は、光学センサ４６ａを備えている。この光学センサ４６ａは、通帳のページ毎にバーコードで印刷されているページ番号の読み取り、通帳の開かれているページにおける印字最終行の検出、さらには、通帳における文字や記号の印字濃度の検出等を行う。光学センサ４６ａは、印字ヘッド４２ａと同様にキャリッジ４３ａに搭載している。この光学センサ４６ａの検出位置は、印字ヘッド４２ａの印字位置に対して、搬送路３２における通帳の搬送方向（副走査方向）にずらしている。言い換えれば、光学センサ４６ａは、検出位置がインクリボンカセット４０から外部に引き出されているインクリボン４０ａに重ならないようにキャリッジに搭載している。
【００４３】
次に、インクリボンカセット４０について説明する。図５は、インクリボンカセットの内部構成を示す図である。
【００４４】
このインクリボンカセット４０は、上述したように引出口と、戻し口との間でインクリボン４０ａが外部に露出し、その他の部分がインクリボンカセット４０のケース内に収納されている。インクリボン４０ａは、無端である。
【００４５】
インクリボンカセット４０は、引出口側に、インクタンク５０、フェルト５１、転写ローラ５２、および補助ローラ５３と、を配置している。また、戻し口側に、一対の巻取りローラ５４を配置している。
【００４６】
インクタンク５０は、インクリボン４０ａに補充するインクを貯留する。インクタンク５０には、開口部を形成しており、この開口部を塞ぐようにフェルト５１を取り付けている。フェルト５１には、インクタンク５０に貯留しているインクが染み込む。
【００４７】
転写ローラ５２は、この発明で言う第１のローラに相当し、その外周面がフェルト５１に当接する。補助ローラ５３は、この発明で言う第２のローラに相当する。転写ローラ５２と、補助ローラ５３とが、インクリボン４０ａを挟持する。
【００４８】
転写ローラ５２は、フェルト５１との当接面において、このフェルト５１に染み込んでいるインクが転写される。インクリボン４０ａは、転写ローラ５２と、補助ローラ５３との挟持位置において、転写ローラ５２からインクが補充される。
【００４９】
一対の巻取りローラ５４は、インクリボン４０ａを挟持している。上述した巻取り部４４がこの巻取りローラ５４を回転駆動し、外部に露出しているインクリボン４０ａを戻し口からケース内に巻き戻す。巻取りローラ５４の回転駆動によるインクリボン４０ａの巻き戻し長に相当するインクリボン４０ａが引出口から引き出される。このとき、転写ローラ５２、補助ローラ５３が回転し引出口から引き出されるインクリボン４０ａにインクを補充する。
【００５０】
また、このインクリボンカセット４０は、フェルト５１と、転写ローラ５２との接触面積を変化させることができる構成である。具体的には、図６、および図７に示すように、転写ローラ５２に対して、インクタンク５０を接離する方向に移動自在に取り付けている。図６は、インクタンクを転写ローラから最も離した状態を示し、図７は、インクタンクを転写ローラ５２に最も近づけた状態を示している。
【００５１】
アーム６１は、一端が図示していないモータの回転軸に連結されている。このモータは、上述した印字濃度調整部４５により制御される。また、アーム６１の他端は、アーム６２の一端に連結されている。アーム６１と、アーム６２とは、連結点において回動自在に連結している。
【００５２】
インクタンク５０は、側面に突起部５０ａを形成している。この突起部５０ａは、スライドガイド板６３に形成した長穴６３ａに通している。また、アーム６２の他端は、インクタンク５０の突起部５０ａに連結している。
【００５３】
印字濃度調整部４５が、モータを駆動しアーム６１を回動することにより、このアーム６１に連結されているアーム６２がスライドガイド板６３に形成した長穴６３ａに沿って、インクタンク５０の突起部５０ａをスライドさせる。これにより、インクタンク５０が、転写ローラ５２に対して接離する方向に移動する。
【００５４】
インクタンク５０が、転写ローラ５２に近づくにつれて、フェルト５１と転写ローラ５２との接触面積が大きくなる。転写ローラ５２は、フェルト５１に当接しているときに、このフェルト５１からインクが転写される。したがって、フェルト５１と転写ローラ５２との接触面積が大きくなるにつれて、フェルト５１から転写ローラ５２に転写されるインクの量が大きくなる。その結果、転写ローラ５２と、補助ローラ５３との挟持位置において、転写ローラ５２からインクリボン４０ａに補充されるインクの量が大きくなる。
【００５５】
なお、上記の説明から明らかなように、インクタンク５０が、転写ローラ５２から離れるにつれて、インクリボン４０ａに補充されるインクの量が少なくなる。
【００５６】
次に、制御部４１がメモリに記憶する印字濃度調整テーブルについて説明する。図８は、この印字濃度調整テーブルを示す図である。この印字濃度調整テーブルは、段階的に区分した印字濃度Ｖ毎に、アーム６１を回動するモータの基準位置に対する回動量Ｔを対応付けたテーブルである。この印字濃度調整テーブルは、印字濃度Ｖがｖ２〜ｖ３の範囲であるときが、適正な印字濃度である。回動量Ｔは、印字濃度Ｖが大きいほど、インクタンク５０を転写ローラ５２から離す値に設定している。言い換えれば、回動量Ｔは、印字濃度Ｖが小さいほど、インクタンク５０を転写ローラ５２に近づける値に設定している。
【００５７】
なお、図８では、印字濃度を５階で区分した印字濃度調整テーブルを例示したが、印字濃度の区分数については、この５段階に限らず、２段階以上であればよい。
【００５８】
次に、この通帳処理装置１の動作について説明する。図９は、通帳処理装置の動作を示すフローチャートである。
【００５９】
通帳処理装置１は、通帳挿入口３１に通帳が挿入されたことを検知すると（ｓ１）、搬送ユニット３が通帳の搬送を開始する（ｓ２）。搬送ユニット３は、通帳を搬送路３２に沿って搬送する。
【００６０】
磁気処理ユニット６が、搬送路に沿って搬送されている通帳に貼付されている磁気シートに記録されている口座番号等のデータを読み取る（ｓ３）。
【００６１】
また、印字ユニット４の光学検出部４６が、光学センサ４６ａにより、通帳の開かれているページにバーコードで印刷されているページ番号の読み取り、通帳の開かれているページにおける印字最終行の検出を行う（ｓ４）。通帳処理装置１は、ｓ４で検出した印字最終行の次の行を印字開始行に設定する。
【００６２】
通帳処理装置１は、通信ユニット７における上位装置との通信で、ｓ３で読み取った口座番号の口座について、取引内容が通帳に未印字である取引毎に、その取引の取引内容を受信する（ｓ５）。
【００６３】
通帳処理装置１は、ｓ５で取引内容を受信した取引毎に、その取引の内容を通帳に印字する印字処理を行う（ｓ６）。ｓ６では、搬送ユニット３が、通帳の印字対象行（取引内容を印字する行）を印字位置（インクリボン４０ａを挟んで印字ヘッドに対向する位置）に合わせる。印字ユニット４は、印字ヘッド走査部４３が印字ヘッド４２ａを主走査方向に走査しながら、印字部４２が印字ヘッド４２ａを制御し、取引内容を通帳に印字する。  通帳処理装置１は、主走査方向における印字ヘッド４２ａの今回の走査で取引内容の印字が完了していなければ（取引内容が未印字である取引があれば）、印字対象行を今回取引内容を印字した次の行に更新する。搬送ユニット３が通帳を副走査方向に搬送し、更新された印字対象行を印字位置に合わせる。そして、上述した通帳に対する取引内容の印字を行う。
【００６４】
また、通帳の開かれているページの最終行に取引内容を印字したときには、搬送ユニット３により通帳をページ捲り位置に搬送する。そして、ページ捲りユニット５により、通帳のページを１枚捲り、再度印字位置に戻して、取引内容を印字する。このとき、通帳の印字対象行は、通帳の開かれているページの先頭行になる。
【００６５】
通帳処理装置１は、通帳に対する取引内容の印字処理が完了すると、印字ユニット４の光学検出部４６が、光学センサ４６ａにより、今回印字した取引内容の印字濃度を検出する（ｓ７）。ｓ７では、今回の印字処理における印字最終行を光学センサ４６ａの検知位置に合わせる。印字ヘッド走査部４３が印字ヘッド４２ａとともに光学センサ４６ａを主走査方向に走査する。このとき、印字部４２は、印字ヘッド４２ａによる印字制御を行わない。光学検出部４６は、光学センサ４６ａで検出した印字最終行からの反射光量により、印字濃度を検出する。
【００６６】
通帳処理装置１は、通帳を通帳挿入口３１に放出する（ｓ８）。
【００６７】
印字ユニット４は、印字濃度調整テーブルを参照し、ｓ７で検出した印字濃度に応じたアーム６１を回動するモータの回動量Ｔを読み出す（ｓ９）。印字ユニット４は、印字濃度調整部４５が、アーム６１を回動するモータを、ｓ９で読み出した回動量Ｔに応じて回動する（ｓ１０）。これにより、今回検出した印字濃度に応じて、インクリボン４０ａに対して補充するインクの量を調整することができる。
【００６８】
印字ユニット４は、巻取り部４４が、引出口と戻し口との間で外部に露出しているインクリボン４０ａをインクリボンカセット４０のケース内に巻き取る（ｓ１１）。これにより、引出口と戻し口との間には、今回検出した印字濃度に応じた量のインクを補充したインクリボン４０ａが位置する。
【００６９】
印字ユニット４は、印字濃度調整部４５が、アーム６１を回動するモータを、初期位置に戻し（ｓ１２）、本処理を終了する。この初期位置は、インクタンク５０が転写ローラ５２から最も離れる回動量にするのが好ましい。その理由は、次の印字処理が開始されるまでの待ち時間（新たな通帳が通帳挿入口３１に挿入されるまでの待ち時間）が長くなったときに、この間にフェルト５１から転写ローラ５２に転写されてしまうインク量が過大になるのを抑えられるからである。
【００７０】
また、上述したｓ９〜ｓ１２にかかる処理は、ｓ６で印字処理を開始する直前に行うようにしてもよい。このようにすれば、印字に用いるインクリボン４０ａが、外部に露出している時間が長時間化するのを防止できる。すなわち、インクリボン４０ａにおけるインクの乾燥を防止でき、印字濃度を一層適正に保つことができる。
【００７１】
また、巻取り部４４によるインクリボン４０ａの巻取りは、ｓ７で検出した印字濃度が適正である場合、行わない構成としてもよい。
【００７２】
また、上記の例では、図８に示した印字濃度調整テーブルによって、アーム６１を回動するモータの回動量Ｔを決定するとしたが、予め定めた計算式、例えば、
モータの回動量Ｔ＝α×印字濃度Ｖ（但し、αは、予め定めた定数）
により、モータの回動量Ｔを算出する構成としてもよい。
【００７３】
また、モータの回動量Ｔをオペレータが任意に設定できるようにしてもよい。この場合、オペレータが印字濃度を目視確認により判断してもよいし、光学検出部４６で検出した印字濃度をオペレータに参考値として出力してもよい。
【００７４】
なお、本願発明にかかる印字ユニットは、上述した通帳処理装置１に限らず、他の種類の媒体に対して文字や記号を印字する装置にも利用できる。
【符号の説明】
【００７５】
１…通帳処理装置
２…制御ユニット
３…搬送ユニット
４…印字ユニット
５…ページ捲りユニット
６…磁気処理ユニット
４０…インクリボンカセット
４０ａ…インクリボン
４１…制御部
４２…印字部
４２ａ…印字ヘッド
４３…印字ヘッド走査部
４３ａ…キャリッジ
４３ｂ…シャフト
４４…巻取り部
４５…印字濃度調整部
４６…光学検出部
４６ａ…光学センサ
５０…インクタンク
５０ａ…突起部
５１…フェルト
５２…転写ローラ
５３…補助ローラ
５４…ローラ
６１、６２…アーム
６３…スライドガイド板
６３ａ…長穴
【図１】
2013154565.tif 000003
【図２】
2013154565.tif 000004
【図３】
2013154565.tif 000005
【図４】
2013154565.tif 000006
【図５】
2013154565.tif 000007
【図６】
2013154565.tif 000008
【図７】
2013154565.tif 000009
【図８】
2013154565.tif 000010
【図９】
2013154565.tif 000011